(57)【要約】【課題】きわめて簡易に構成でき、手軽に手品を楽しむことができる手品用具を提供する。【解決手段】手品用具１は、開口部３を有し、液体４を貯留する容器本体５と、開口部３に着脱自在に設けられ、開口部３を閉塞する蓋部材６と、容器本体５に設けられ、容器本体５の内部に貯留された液体４を容器本体５の外部に導出する導出管７であって、容器本体５の内部に配置される第１端部７ａと容器本体５の外部に配置される第２端部７ｂとを有し、第２端部７ｂが第１端部７ａよりも下方に位置する導出管７と、蓋部材６に設けられる連通穴８と、を備える。【選択図】図１
0003198908.tif 000002
【実用新案登録請求の範囲】
【請求項１】
開口部を有し、液体を貯留する容器本体と、
前記開口部に着脱自在に設けられ、該開口部を閉塞する蓋部材と、
前記容器本体又は前記蓋部材に設けられ、該容器本体の内部に貯留された前記液体を該容器本体の外部に導出する導出管であって、該容器本体の内部に配置される第１端部と該容器本体の外部に配置される第２端部とを有し、該第２端部が該第１端部よりも下方に位置する導出管と、
前記蓋部材又は前記容器本体に設けられ、該容器本体の内部と外部とを連通する連通穴と、
を備える手品用具。
【請求項２】
前記導出管及び前記連通穴は、前記蓋部材の中心から偏心した位置にそれぞれ設けられると共に、該中心を挟んで互いに対向する位置に配置される請求項１に記載の手品用具。
【請求項３】
前記蓋部材は、前記開口部に挿入される挿入部と、該挿入部と一体に設けられ、且つ、該挿入部の径よりも大きく構成された大径部と、該大径部又は該挿入部に設けられ、前記容器本体に当接するシール部材とを備え、
前記連通穴及び前記導出管は、前記蓋部材に設けられる請求項１又は２に記載の手品用具。
【請求項４】
前記蓋部材は、前記開口部に挿入される挿入部を備え、且つ、全体を弾性部材から構成され、
前記連通穴及び前記導出管は、前記蓋部材に設けられる請求項１又は２に記載の手品用具。
【請求項５】
前記連通穴を開閉する連通穴開閉部材を更に備える請求項１から請求項４のいずれか一つに記載の手品用具。
【考案の詳細な説明】
【技術分野】
【０００１】
本考案は、容器内部の空気圧力の変化及びサイフォンの原理を利用した手品用具に関する。
【背景技術】
【０００２】
従来より、サイフォンの原理を利用して手品的な実験を行うことができるサイフォンコップが提供されている（例えば、特許文献１参照）。
【０００３】
このサイフォンコップは、一端が閉じた底面と他端に開口部を備えたコップ状容器の内部において、両端が開口した排水管の開口下端をコップの底面から外部に貫通して排水口とし、上端側をコップよりも低くして排水管をコップ内部に一体成形して構成されたものである。また、このサイフォンコップは、上端部が閉ざされると共に開口下端に取水口を設けた取水管を備える。この取水管は、前記排水管よりも大径加工され、該排水管に覆い被せる構成となっている。
【０００４】
このような構成としたことにより、特許文献１に記載の従来技術は、サイフォンの原理を利用した、ユニークで遊具的な実験教材を提供することができるとしている。
【先行技術文献】
【特許文献】
【０００５】
【特許文献１】特開２００９−６９７１９号公報
【考案の概要】
【考案が解決しようとする課題】
【０００６】
しかし、上記特許文献１に記載の従来技術は、排水管をコップ内部の底面から立ち上げて設けなければならなかった。また、この配水管を補強すると共に取水管の位置決めをする補強リブを設けなければならなかった。そのため、上記特許文献１に記載の従来技術は、複雑な構成となっていた。
【０００７】
また、上記特許文献１に記載の従来技術は、上述のように複雑な構成となっているため、生産性を上げるには、排水管や補強リブ等をプラスチック素材で成形加工する必要があった。
【０００８】
そのため、上記特許文献１に記載の従来技術は、専用のコップ（専用容器）を製造しなければならず、例えば、ペットボトルやガラスボトルなどの既存の汎用容器を利用して構成することは困難であった。これは、資源を大切にし地球環境を保護する観点からも好ましいこととは言えず、また、汎用容器を利用して手軽に手品を楽しみたいというユーザーの期待に応えることも困難であった。
【０００９】
本考案は、きわめて簡易に構成でき、手軽に手品を楽しむことができる手品用具を提供することを目的とする。
【００１０】
また、本考案は、汎用容器を利用して容易に構成することができ、手軽に手品を楽しむことができる手品用具を提供することを目的とする。
【課題を解決するための手段】
【００１１】
本考案は、開口部を有し、液体を貯留する容器本体と、前記開口部に着脱自在に設けられ、該開口部を閉塞する蓋部材と、前記容器本体又は前記蓋部材に設けられ、該容器本体の内部に貯留された前記液体を該容器本体の外部に導出する導出管であって、該容器本体の内部に配置される第１端部と該容器本体の外部に配置される第２端部とを有し、該第２端部が該第１端部よりも下方に位置する導出管と、前記蓋部材又は前記容器本体に設けられ、該容器本体の内部と外部とを連通する連通穴と、を備える手品用具に関する。
【００１２】
また、前記導出管及び前記連通穴は、前記蓋部材の中心から偏心した位置にそれぞれ設けられると共に、該中心を挟んで互いに対向する位置に配置されることが好ましい。
【００１３】
また、前記蓋部材は、前記開口部に挿入される挿入部と、該挿入部と一体に設けられ、且つ、該挿入部の径よりも大きく構成された大径部と、該大径部又は該挿入部に設けられ、前記容器本体に当接するシール部材とを備え、前記連通穴及び前記導出管は、前記蓋部材に設けられることが好ましい。
【００１４】
また、前記蓋部材は、前記開口部に挿入される挿入部を備え、且つ、全体を弾性部材から構成され、前記連通穴及び前記導出管は、前記蓋部材に設けられることが好ましい。
【００１５】
また、前記連通穴を開閉する連通穴開閉部材を更に備えることが好ましい。
【考案の効果】
【００１６】
本考案によれば、きわめて簡易に構成でき、手軽に手品を楽しむことができる手品用具を提供することができる。
【００１７】
また、本考案によれば、汎用容器を利用して容易に構成することができ、手軽に手品を楽しむことができる手品用具を提供することができる。
【図面の簡単な説明】
【００１８】
【図１】本考案の第１実施形態の手品用具１を示す断面図である。
【図２】本考案の第２実施形態の手品用具１Ａを示す断面図である。
【図３】本考案の第３実施形態の手品用具１Ｂを示す部分断面図である。
【図４】本考案の第４実施形態の手品用具１Ｃを示す部分断面図である。
【図５】本考案の第５実施形態の手品用具１Ｄを示す部分断面図である。
【図６】本考案の第５実施形態の手品用具１Ｄを示す平面図である。
【図７】ペットボトルの構成図である。
【図８】ペットボトルの側面をサイフォン管が貫通するサイフォン式手品用具の正面図である。
【図９】ペットボトルの側面をサイフォン管が貫通するサイフォン式手品用具の断面図である。
【図１０】ペットボトルの側面をサイフォン管が貫通するサイフォン式手品用具の使用説明図である。
【図１１】ペットボトルの蓋をサイフォン管が貫通するサイフォン式手品用具の断面図である。
【図１２】ペットボトルの空気穴に指を触れた時のサイフォン式手品用具の使用説明図である。
【図１３】ペットボトルの空気穴から指を離した時のサイフォン式手品用具の使用説明図である。
【考案を実施するための形態】
【００１９】
〔第１実施形態〕
以下に、本考案の第１実施形態の手品用具１について図１を参照しながら説明する。図１は、本考案の第１実施形態の手品用具１を示す断面図である。
【００２０】
本考案の第１実施形態の手品用具１は、図１に示すように、開口部３を有し、液体４を貯留する容器本体５と、開口部３を閉塞する蓋部材６と、容器本体５に設けられ、容器本体５の内部に貯留された液体４を容器本体５の外部に導出する導出管７と、蓋部材６に設けられる連通穴８と、を備える。
【００２１】
容器本体５は、後述する液体４を貯留するための容器であり、上部に小径の開口部３を有し、有底の筒状に構成されている。この容器本体５には、例えば、透明の合成樹脂により成形されたペットボトルを用いて構成することができる。
【００２２】
容器本体５上部の開口部３の近傍は、円筒状に形成されており、その周縁部には、後述する蓋部材６の被係合部（図示せず）と係合する係合部（図示せず）を有する。蓋部材６を容器本体５に取り付けた際に、この係合部及び被係合部によって水密性（気密性）が担保される。
【００２３】
蓋部材６は、有底円筒状に形成され、開口部３に着脱自在に設けられる。蓋部材６の内面には、容器本体５の前記係合部（図示せず）と係合する被係合部（図示せず）が形成されている。容器本体５が上記ペットボトルにて構成されている場合には、この蓋部材６には、例えば、上記ペットボトルに付属している蓋部材を用いて構成することができる。
【００２４】
また、蓋部材６の中心には、貫通穴である連通穴が設けられている。この連通穴８は、蓋部材６を容器本体５に取り付けた際に、連通穴８を塞いで容器本体５の空気圧力を下げて、第２端部７ａからの液体４の導出（排水）を止めたり、連通穴８を開放して、空気の圧力を上げて、第２端部７ａからの液体４の導出（排水）をする為に設けている。
【００２５】
液体４には、例えば、無色又は着色された水を用いることができるが、これに限定されず、清涼飲料やアルコール飲料など、手品を披露する環境に応じて適宜選択した液体を用いることができる。
【００２６】
導出管７は、中空のパイプないしチューブによりほぼ逆Ｕ字状に形成され、容器本体５の内部の底２８近くに配置される第１端部７ａと容器本体５の外部に配置される第２端部７ｂとを有する。また、導出管７は、第２端部７ｂが第１端部７ａよりも下方の容器本体５の底２８より下に位置するように、容器本体５の上部に挿通され固定されている。なお、この導出管７と容器本体５との固定手段は、導出管７の材質及び容器本体５の材質に応じて、ゴムパッキン３３、接着及び溶着など適宜の手段を採用すればよい。
【００２７】
導出管７には、例えば、銅やステンレスなどの金属製のパイプや、透明又は不透明の合成樹脂製のチューブ、可撓性を有し任意の形状を保持可能な金属製又は合成樹脂製のフレキシブルチューブなどを用いることができる。導出管７の内径及び外径、長さ、剛性の程度、可撓性の有無などは、手品を披露する環境（例えば、液体４の種類や導出量、導出場所など）に応じて適宜決定される。
【００２８】
なお、図１に示す液受け容器９は、導出管７の第２端部７ｂから導出（排出）される液体４を貯留するためのものであり、必要に応じて配置される。
【００２９】
次に、手品用具１の使用方法について図１を参照しながら説明する。図１に示すように、手品の実演者（図示せず。以下同様）は、導出管７の第１端部７ａが液体４に浸かるように、所定量の液体４を開口部３から容器本体５に入れて貯留する。そして、蓋部材６によって開口部３を閉塞する。
【００３０】
次に、手品の実演者は、連通穴８を開放した状態で容器本体５を傾けるなどして液体４を第１端部７ａから導出管７の内部に導入し、第１端部７ａから第２端部７ｂまでを液体４で満たすとサイフォンの原理により、導出（排水）する。導出（排水）の最中に、連通穴８を指などで押さえて閉塞すると、容器本体５は密封され、容器本体５の内部の空気３４は、配管の第２端部７ｂからの液体４の流出により、容器本体５の内部の下方へ引っぱられて、空気３４の圧力が低下する。そして、圧力の低下した空気３４が、液体４を、容器本体５の内部の上方に方向へ引っぱって、第２端部７ｂからの液体４の流出が止まる。この手品は、サイフォンの原理、空気圧力低下及び引力を利用している。
【００３１】
そして、手品の実演者が連通穴８から指を離して連通穴８を開放すると、容器本体５の内部へ空気が入って、空気３４の圧力は上がり、空気３４による液体４の引っ張りは解除されて、第２端部７ｂから、再び液体４が流出する。この手品は、空気圧力の上昇及びサイフォンの原理を利用している。
連通穴８に指を触れて液体４の流出を止めたり、指を離して液体４の流出をしたりを繰り返す手品用具１であり、連通穴８に、指を触れたり、離したりするタイミングに注意する必要がある。
以上のように、サイフォンの原理により、容器本体５の液体４が第１端部７ａから導出管７の内部に導入され、第２端部７ｂから導出（排出）される。この排出された液体４は、液受け容器９に貯留される。一方、手品の実演者が連通穴８を指などで押さえて閉塞すると、第２端部７ｂからの液体４の導出（排出）は停止する。なお、液体４の導出（排出）は、導出管７の第１端部７ａが液体４の液面から露出するまで行うことができる。
【００３２】
このように手品の実演者が連通穴８を指で開閉することにより、電動ポンプなどの駆動源を用いることなく、第２端部７ｂからの液体４の流れを容易にオン・オフ制御することができる。すなわち、手品の実演者は、この連通穴８の開閉動作を観者に気付かれないようにさり気なく行うことで、第２端部７ｂからの液体４の流れをオン・オフ制御し、液体４の流れが変化する過程を観者に見せることができる。これにより、手品の実演者は、観者に不思議な感覚を提供し、観者を楽しませることができる。
【００３３】
なお、手品の実演者は、巧みな話術やジェスチャーなどを交えながら、連通穴８の開閉動作を観者に気付かれないようにさり気なく行うことが肝要である。そのため、連通穴８の開閉動作の際に、例えば、電池駆動で四肢を動かしたり音声を発することができるぬいぐるみ人形（図示せず）などを動作させることによって、観者の注意を効果的にそらし、連通穴８の開閉動作を観者に気付かれないように行うことができる。
【００３４】
以上に説明した第１実施形態の手品用具１によれば、以下に示す各効果が奏される。第１実施形態の手品用具１は、開口部３を有し、液体４を貯留する容器本体５と、開口部３を閉塞する蓋部材６と、容器本体５に設けられ、容器本体５の内部に貯留された液体４を容器本体５の外部に導出する導出管７と、蓋部材６に設けられる連通穴８と、を備える。そのため、きわめて簡易に構成でき、手軽に手品を楽しむことができる手品用具１を提供することができる。
【００３５】
また、この手品用具１は、きわめて簡易な構成であるため、小中学生などが、理科の実験用教材として、使用済みのペットボトルやビニールチューブなどを自分で加工して作製することができ、工作の過程を楽しめると共に、手品をしながら理科の学習効果を高めることができる。
【００３６】
次に、本考案の他の実施形態について説明する。他の実施形態については、主として、第１実施形態とは異なる点を中心に説明し、第１実施形態と同様の構成については、同じ符号を付し、詳細な説明を省略する。他の実施形態において特に説明しない点は、第１実施形態についての説明が適宜適用又は援用される。
【００３７】
〔第２実施形態〕
次に、本考案の第２実施形態の手品用具１Ａについて図２を参照しながら説明する。図２は、本考案の第２実施形態の手品用具１Ａを示す断面図である。図２に示すように、手品用具１Ａは、開口部３を有し、液体４を貯留する容器本体５と、開口部３を閉塞する蓋部材６と、蓋部材６に設けられ、容器本体５の内部に貯留された液体４を容器本体５の外部に導出する導出管７と、蓋部材６に設けられる連通穴８と、を備える。つまり、手品用具１Ａは、導出管７及び連通穴８を蓋部材６に集約して構成される。
【００３８】
導出管７は、第２端部７ｂが第１端部７ａよりも下方に位置するように、更に詳しくは、容器本体５の底２８よりも下方に位置するように、蓋部材６に挿通固定されている。なお、この導出管７と蓋部材６との固定手段は、導出管７の材質及び蓋部材６の材質に応じて、接着（ゴムパッキンなどのシール部材を介した接着を含む）や溶着など適宜の手段を採用すればよい。
また、導出管７及び連通穴８は、蓋部材６の中心から偏心した位置にそれぞれ設けられると共に、この中心を挟んで互いに対向する位置に配置されている。そのため、手品の実演者が連通穴８に対して指を当てたり離したりする際に、指を置くスペースを十分に確保することができ、連通穴８の開閉操作を容易に行うことができる。
【００３９】
手品用具１Ａのその他の構成及び使用方法は、前記第１実施形態の手品用具１の場合と同様であるので、重複説明を省略する。
【００４０】
以上のように、第２実施形態の手品用具１Ａによれば、前記第１実施形態の手品用具１と同様の効果が奏されると共に、以下に示す効果が奏される。第２実施形態の手品用具１Ａは、開口部３を有し、液体４を貯留する容器本体５と、開口部３を閉塞する蓋部材６と、蓋部材６に設けられ、容器本体５の内部に貯留された液体４を容器本体５の外部に導出する導出管７と、蓋部材６に設けられる連通穴８と、を備える。つまり、手品用具１Ａは、導出管７及び連通穴８を所定間隔離して蓋部材６に集約して設けられる。
【００４１】
そのため、導出管７を容器本体５に固定するための穴開け加工や固定作業が不要であり、蓋部材６への加工だけでよい。また、導出管７及び連通穴８が蓋部材６に集約されているため、蓋部材６と係合可能な容器本体５であれば、種々の容器本体５に装着して使用することができる。
【００４２】
〔第３実施形態〕
次に、本考案の第３実施形態の手品用具１Ｂについて図３を参照しながら説明する。図３は、本考案の第３実施形態の手品用具１Ｂを示す部分断面図である。図３に示すように、手品用具１Ｂの蓋部材６は、開口部３に挿入（圧入）される挿入部６ａと、挿入部６ａと一体に設けられ、且つ、挿入部６ａの径よりも大きく構成された大径部６ｂと、この大径部６ｂに設けられ、容器本体５に当接するＯリングなどのシール部材１０と、を備える。
【００４３】
蓋部材６は、開口部３に対して挿入部６ａを適度の力で脱着できるように、合成樹脂などにより構成することができる。挿入部６ａ及び大径部６ｂは、中実の円柱状に形成され、同軸状に配置されている。
【００４４】
また、大径部６ｂの下面であって、容器本体５における開口部３の外周縁部（上面）に対応する位置には、シール部材１０をはめ込んで設けるための円形の溝部１１が設けられている。
【００４５】
このように構成された蓋部材６に対して、連通穴８及び導出管７が集約して設けられている。すなわち、連通穴８及び導出管７は、蓋部材６の中心から偏心した位置にそれぞれ設けられると共に、この中心を挟んで互いに対向する位置に配置されている。これにより、手品の実演者が連通穴８に対して指を当てたり離したりする際に、指を置くスペースを十分に確保することができる。
【００４６】
手品用具１Ｂのその他の構成及び使用方法は、前記第１実施形態の手品用具１の場合と同様であるので、重複説明を省略する。
【００４７】
以上のように、第３実施形態の手品用具１Ｂによれば、前記第１実施形態の手品用具１と同様の効果が奏されると共に、以下に示す効果が奏される。第３実施形態の手品用具１Ｂにおいては、蓋部材６は、開口部３に挿入される挿入部６ａと、挿入部６ａと一体に設けられ、且つ、挿入部６ａの径よりも大きく構成された大径部６ｂと、この大径部６ｂに設けられ、容器本体５に当接するシール部材１０と、を備え、連通穴８及び導出管７は、蓋部材６に集約して設けられる。
【００４８】
そのため、導出管７を容器本体５に固定するための穴開け加工や固定作業が不要であり、蓋部材６への加工だけでよい。また、導出管７及び連通穴８が蓋部材６に集約されているため、蓋部材６の挿入部６ａを圧入可能な開口部３を有する容器本体５であれば、容器本体５の種類（材質、大きさ、形状など）を問わず、蓋部材６を様々な容器本体５に装着して使用することができ、汎用性を高めることができる。
【００４９】
〔第４実施形態〕
次に、本考案の第４実施形態の手品用具１Ｃについて図４を参照しながら説明する。図４は、本考案の第４実施形態の手品用具１Ｃを示す部分断面図である。図４に示すように、手品用具１Ｃの蓋部材６は、中実の円柱状に構成され、開口部３に挿入（圧入）される挿入部６ｃを備える。また、蓋部材６は、開口部３に対して挿入部６ｃを適度の力で脱着でき、且つ、挿入部６ｃによって開口部３に対する気密（水密）性を確保できるように、全体をゴムやコルクなどの弾性部材から構成されている。
【００５０】
このように構成された蓋部材６に対して、連通穴８及び導出管７が集約して設けられている。すなわち、蓋部材６の中央部に導出管７が固定され、この導出管７から所定量離れた位置に連通穴８が設けられている。
【００５１】
手品用具１Ｃのその他の構成及び使用方法は、前記第１実施形態の手品用具１の場合と同様であるので、重複説明を省略する。
【００５２】
以上のように、第４実施形態の手品用具１Ｃによれば、前記第１実施形態の手品用具１と同様の効果が奏されると共に、以下に示す効果が奏される。第４実施形態の手品用具１Ｃにおいては、蓋部材６は、開口部３に挿入（圧入）される挿入部６ｃを備え、且つ、全体をゴムやコルクなどの弾性部材から構成され、連通穴８及び導出管７は、蓋部材６に集約して設けられる。
【００５３】
そのため、導出管７を容器本体５に固定するための穴開け加工や固定作業が不要であり、蓋部材６への加工だけでよい。また、導出管７及び連通穴８が蓋部材６に集約されているため、蓋部材６の挿入部６ａを圧入可能な開口部３を有する容器本体５であれば、容器本体５の種類（材質、大きさ、形状など）を問わず、蓋部材６を様々な容器本体５に装着して使用することができ、汎用性を高めることができる。
【００５４】
また、蓋部材６は、全体をゴムやコルクなどの弾性部材から構成されており、挿入部６ｃ自身によって開口部３に対する気密（水密）性を確保することができる。そのため、前記第３実施形態の手品用具１Ｂにおけるシール部材１０やこれを固定するための溝部１１の加工が不要となり、前記第３実施形態の手品用具１Ｂの場合よりも更に部品点数と加工工程とを削減することができる。
【００５５】
〔第５実施形態〕
次に、本考案の第５実施形態の手品用具１Ｄについて図５及び図６を参照しながら説明する。図５は、本考案の第５実施形態の手品用具１Ｄを示す部分断面図である。図６は、本考案の第５実施形態の手品用具１Ｄを示す平面図である。
【００５６】
図５及び図６に示すように、第５実施形態の手品用具１Ｄの蓋部材６は、前記第４実施形態の手品用具１Ｃの蓋部材６（図４参照）と同様に構成されると共に、連通穴８を開閉する連通穴開閉部材１１を更に備えたものである。すなわち、前記第１〜第４実施形態の手品用具１，１Ａ，１Ｂ，１Ｃの場合には、蓋部材６の連通穴８を開閉する際に、実演者が連通穴８に指を押し当てたり、離したりしていた。
【００５７】
これに対して、第５実施形態の手品用具１Ｄにおいては、実演者が連通穴８に指を押し当てたり離したりする代わりに、指で連通穴開閉部材１１の回動量を調節することによって、連通穴８を開閉できるように構成したものである。
【００５８】
図５及び図６に示すように、連通穴開閉部材１１は、例えば、矩形の薄板部材であり、連通穴８を覆って密閉できるように構成されている。また、連通穴開閉部材１１は、一端を軸支部１２によって回動自在に軸支されている。図６においては、連通穴開閉部材１１の回動位置に応じて、連通穴８が開放された状態を実線で示し、連通穴８が閉塞された状態を想像線で示してある。
【００５９】
手品用具１Ｄのその他の構成は、前記第４実施形態の手品用具１Ｃの場合と同様であるので、重複説明を省略する。
【００６０】
また、手品用具１Ｄの使用方法において、前記第４実施形態の手品用具１Ｃ（図４参照）の使用方法と異なるのは、第２端部７ｂからの液体４の導出（排出）を停止する時である。すなわち、前記第４実施形態の手品用具１Ｃの場合は、手品の実演者が連通穴８を指などで常に押さえて閉塞しておかなければならなかった。これに対し、第５実施形態の手品用具１Ｄの場合は、図６に示すように、連通穴開閉部材１１を指で所定量回動して連通穴８を閉塞することにより、連通穴８の閉塞状態を容易に維持・継続することができる。
【００６１】
以上のように、第５実施形態の手品用具１Ｄによれば、前記第４実施形態の手品用具１Ｃと同様の効果が奏されると共に、以下に示す効果が奏される。第５実施形態の手品用具１Ｄにおいては、蓋部材６は、連通穴８を開閉する連通穴開閉部材１１を更に備える。
【００６２】
そのため、第２端部７ｂからの液体４の導出（排出）を停止するときには、手品の実演者が連通穴開閉部材１１を指で所定量回動して連通穴８を閉塞すればよく、連通穴８を指などで常時押さえて閉塞しておく必要がない。したがって、手品の実演者の労力を大幅に軽減することができる。
【００６３】
以上、本考案の一実施形態について説明したが、本考案は、前述した実施形態に制限されるものではなく、適宜変更が可能である。例えば、前記第１及び第２実施形態においては、手品用具１，１Ａの連通穴８を蓋部材６に設けるものとして説明したが、これに制限されず、容器本体５に設けてもよい。この場合、連通穴８は、容器本体５における液体４の液面上限位置よりも上方に配置される。
【００６４】
また、前記第３実施形態においては、大径部６ｂの下面に溝部１１を設け、この溝部１１にシール部材１０をはめ込んで設けるものとして説明したが、これに制限されず、挿入部６ａの外周面に溝部（図示せず）を設け、この溝部にＯリングなどのシール部材（図示せず）をはめ込んで設けてもよい。このように構成することで、蓋部材６を開口部３に装着した際のシール性（気密性及び水密性）を担保することができる。
【００６５】
また、前記第５実施形態においては、前記第４実施形態の手品用具１Ｃの蓋部材６に連通穴開閉部材１１を更に設けるものとして説明したが、これに制限されず、前記第１〜第３実施形態の手品用具１，１Ａ，１Ｂの蓋部材６に対して、上記連通穴開閉部材１１とほぼ同様に構成した連通穴開閉部材（図示せず）を更に設けてもよい。
【００６６】
このように構成することで、第２端部７ｂからの液体４の導出（排出）を停止するときには、手品の実演者が上記連通穴開閉部材を指で所定量回動して連通穴８を閉塞すればよく、連通穴８を指などで常時押さえて閉塞しておく必要がない。したがって、手品の実演者の労力を大幅に軽減することができる。
【００６７】
また、蓋部材６に設けられた連通穴８に対して上記連通穴開閉部材を適用するものとして説明したが、これに制限されず、容器本体５に設けられた連通穴（図示せず）に対しても同様に適用することができる。この場合も第２端部７ｂからの液体４の導出（排出）を停止するときに、上記連通穴（図示せず）を指などで常時押さえて閉塞しておく必要がなくなり、手品の実演者の労力を大幅に軽減することができる。
【００６８】
また、前記第２実施形態においては、導出管７及び連通穴８は、蓋部材６の中心から偏心した位置にそれぞれ設けられると共に、この中心を挟んで互いに対向する位置に配置されているものとして説明したが、このような構成を前記第３〜第５実施形態の手品用具１Ｂ，１Ｃ，１Ｄに対しても同様に適用することができる。これにより、手品の実演者が連通穴８に対して指を当てたり離したりする際に、指を置くスペースを十分に確保することができ、連通穴８の開閉操作を容易に行うことができる。
【００６９】
また、以下の図７〜図１３に基づいてサイフォン式の手品用具について説明する。
図７は、ペットボトルの構成図である。図７において、ペットルボトル２１は、ボトル本体（容器本体）２２と蓋（蓋部材）２３で構成されていて、ペットボトル２１は、蓋２３を閉めることにより、ボトル本体２２と蓋２３は、密着して、ペットボトル２１内部の液体が漏れない構造になっている。
【００７０】
図８は、ペットボトルのボトル本体をサイフォン管が貫通するサイフォン式手品用具の正面図である。図８において、ペットボトル２１の蓋２３下の斜面２４を、逆Ｕ字型のサイフォン管（導出管）２５の頂上部２６の外周に密着させて貫通させ、更に貫通部にゴムパッキン３３を設けて液体漏れを防止及びサイフォン管２５の固定をしている。
サイフォン管２５の両端にある片方の配管の末端２７は、ボトル本体２２内部の底２８近くまで配管すると共に、もう片方の配管の末端２９は、ボトル本体２２の斜面２４及びゴムパッキン３３を密着して貫通させてボトル本体２２の外部に突出して、ボトル本体２２の外側の側面３０に沿って、サイフォン管２５の末端２９は、ボトル本体２２の底２８よりも下に延ばして配管している。
【００７１】
図９は、ペットボトルのボトル本体の斜面をサイフォン管が貫通するサイフォン式手品用具の断面図である。図９において、ペットボトル２１の蓋２３の下のボトル本体２２の斜面２４を、逆Ｕ字型のサイフォン管２５の頂上部２６の外周に接して貫通させて、サイフォン管２５の両端にある片方の配管の末端２７は、ボトル本体内部の底２８近くまで配管されていると共に、もう片方の配管の末端２９は、ペットボトルの斜面２４を密着して貫通させ、更に液体漏れを防ぐゴムパッキン３３をサイフォン管２５の頂上部２６が密着して貫通して、ボトル本体２２の外部に突出して、ボトル本体２２内部の底２８近くまで配管されていると共に、もう片方の配管の末端２９は、ボトル本体２２の斜面２４を接して貫通させてボトル本体２２の外部に突出して、ボトル本体２２の外側の側面３０に沿って、ボトル本体２２の底２８よりも下に延ばして配管している。
また、蓋２３の天井面に、ボトル本体２２内部へ、空気を入れたり、空気を遮断したりする空気穴（連通穴）３１を設けている。
【００７２】
図１０は、サイフォン式手品用具の使用説明図である。図１０において、ボトル本体２２に液体をサイフォン管２５の頂上部２６を超えて高水位Ｈまで注ぐ。すると液体は、サイフォンの原理により、ボトル本体２２内からサイフォン管２５内部を通って矢印の方向へ流れて、ボトル本体２２から外部に突出して、ボトル本体２２の外側の側面３０に沿って、ボトル本体２２の底２８よりも下に延ばしている配管の末端２９より、液体を流出してボトル本体２２内部の液体は、低水位Ｌまで汲み上げられ殆ど空になる。
【００７３】
図１１は、ペットボトルのボトルの蓋をサイフォン管が貫通するサイフォン式手品用具の断面図である。図１１において、サイフォン管２５は、ペットボトル２１の蓋２３を貫通して、更に液体漏れを防止及びサイフォン管２５の固定をするパッキン３３を貫通して、蓋２３の上方にサイフォン管２５の頂上部２６が位置する。
サイフォン管２５の両端にある片方の配管の末端２７は、ボトル本体２２内部の底２８近くまで配管され、もう片方の配管の末端２９は、蓋２３を貫通して、外部に突出して、頂上部２６を経由して、ボトル本体２２の外側の側面３０に沿って、ボトル本体２２の底２８よりも下に延ばして配管している。
また、蓋２３の天井面に、ボトル本体２２内部へ空気を入れたり、空気を遮断する空気穴３１を設けている。なお、サイフォン管２５及び空気穴３１は、蓋２３の中心から偏心した位置にそれぞれ設けられると共に、該中心を挟んで互いに対向する位置に配置される。
【００７４】
図１２は、ぺットボトルの空気穴に指を触れた時のサイフォン式手品用具の使用説明図である。図１２において、サイフォン管２５の配管の末端２９より、液体３５が流出している最中に、空気穴３１に指３２を触れることにより、ペットボトル２１は密封され、ボトル本体２２の内部の空気３４は、配管の末端２９からの液体３５の流出により、ボトル本体２２の内部の下方へ引っぱられて、空気３４の圧力が低下する。そして、圧力の低下した空気３４は、液体３５を、ボトル本体２２の内部の上方である矢印の方向へ引っぱって、末端２９からの液体３５の流出は止まる。この手品は、空気圧力低下、サイフォンの原理及び引力を利用している。また、空気穴３１に、指３２でおよそ８秒間以上触れていると密封状態が解除されて、サイフォン管２５内の液体が逆流又は流失してしまい、サイフォン管２５内は、空洞になり手品は失敗するので注意が必要である。
【００７５】
図１３は、ぺットボトルの空気穴から指を離した時のサイフォン式手品用具の使用説明図である。図１３において、空気穴３１から指３２を離すと、ボトル本体２２の内部へ矢印の方向へ空気が入って、空気３４の圧力は上がる。そして、空気穴３１に指３２を触れていた際の、空気３４による液体３５の引っ張りは解除されて、末端２９より、再び液体３５が流出する。空気穴３１に指３２を触れて液体３５の流出を止めたり、指３２を離して液体３５の流出をしたりを繰り返す手品用具であり、空気穴３１に、指３２を触れたり、離したりするタイミングに注意する必要がある。
なお、空気穴３１は、蓋２３、斜面２４又はボトル本体２２のいずれに設けてもよい。
【符号の説明】
【００７６】
１，１Ａ，１Ｂ，１Ｃ，１Ｄ  手品用具
３  開口部
４  液体
５  容器本体
６  蓋部材
６ａ，６ｃ  挿入部
６ｂ  大径部
７  導出管
７ａ  第１端部
７ｂ  第２端部
８  連通穴
９  液受け容器
１０  シール部材
１１  連通穴開閉部材
１２  軸支部
２１  ペットボトル
２２  ボトル本体
２３  蓋
２４  斜面
２５  サイフォン管
２６  頂上部
２７  末端
２８  底
２９  末端
３０  側面
３１  空気穴
３２  指
３３  ゴムパッキン
３４  空気
３５  液体  
Ｈ  高水位
Ｌ  低水位
【図１】
0003198908.tif 000003
【図２】
0003198908.tif 000004
【図３】
0003198908.tif 000005
【図４】
0003198908.tif 000006
【図５】
0003198908.tif 000007
【図６】
0003198908.tif 000008
【図７】
0003198908.tif 000009
【図８】
0003198908.tif 000010
【図９】
0003198908.tif 000011
【図１０】
0003198908.tif 000012
【図１１】
0003198908.tif 000013
【図１２】
0003198908.tif 000014
【図１３】
0003198908.tif 000015